(57)【要約】【課題】ユーザが当該ユーザ自身の静止画像などを容易に撮影することができる撮影装置を提供する。【解決手段】屋外照明装置１００の機能部１０は、撮影装置として機能する。機能部１０は、制御部１８、認証部１６ｂ、及び、無線通信部１６ｃを備える。制御部１８は、認証部１６ｂに携帯端末３０を認証させることにより携帯端末３０との無線通信接続を確立し、無線通信部１６ｃに、カメラ１２が撮影している動画像を無線通信接続が確立された携帯端末３０の表示部３１に表示するための動画像情報を送信させ、無線通信部１６ｃが、動画像情報を受信している携帯端末３０から静止画像の撮影を指示する撮影指示情報を受信した場合、受信された撮影指示情報に基づいてカメラ１２に静止画像を撮影させ、撮影された静止画像の画像情報を、無線通信部１６ｃに携帯端末３０へ送信させる。【選択図】図４
2019096999.tif 000002
【特許請求の範囲】
【請求項１】
携帯端末を認証することにより前記携帯端末との無線通信接続を確立する認証部と、
動画像及び静止画像を撮影するカメラと、
前記カメラが撮影している動画像を前記無線通信接続が確立された前記携帯端末の表示部に表示するための動画像情報を送信する送信部と、
前記動画像情報を受信している前記携帯端末から、静止画像の撮影を指示する撮影指示情報を受信する受信部と、
受信された前記撮影指示情報に基づいて前記カメラに静止画像を撮影させ、撮影された静止画像の画像情報を、前記送信部に前記携帯端末へ送信させる制御を行う制御部とを備える
撮影装置。
【請求項２】
さらに、前記撮影装置の周囲を照らす照明部を備え、
前記制御部は、前記照明部を発光させながら、前記撮影指示情報に基づいて前記カメラに前記静止画像を撮影させる
請求項１に記載の撮影装置。
【請求項３】
さらに、前記撮影装置の周囲の明るさを検知する明るさ検知部を備え、
前記制御部は、検知された明るさが所定の明るさ未満である場合に、前記照明部を発光させる
請求項２に記載の撮影装置。
【請求項４】
前記受信部は、さらに、前記携帯端末から、前記照明部の明るさを指示する明るさ指示情報を受信し、
前記制御部は、受信された前記明るさ指示情報に基づいて、前記照明部の明るさを制御する
請求項２に記載の撮影装置。
【請求項５】
前記制御部は、前記撮影指示情報が受信される前に前記照明部の発光を開始する
請求項２〜４のいずれか１項に記載の撮影装置。
【請求項６】
前記制御部は、前記撮影指示情報が受信された後に前記照明部の発光を開始する
請求項２に記載の撮影装置。
【請求項７】
前記制御部は、他の撮影装置が備える照明部を発光させる指令を、前記送信部に前記他の撮影装置へ送信させる
請求項２〜６のいずれか１項に記載の撮影装置。
【請求項８】
さらに、前記撮影装置の周囲の明るさを検知する明るさ検知部を備え、
前記制御部は、前記照明部を発光させているときに検知された明るさが所定の明るさ未満である場合に、前記他の撮影装置が備える照明部を発光させる指令を、前記送信部に前記他の撮影装置へ送信させる
請求項７に記載の撮影装置。
【請求項９】
路面に設置される柱状の屋外照明装置であって、
照明部と、
動画像及び静止画像を撮影するカメラと、
前記照明部を発光させることにより前記屋外照明装置の周囲を照らす照明モードの制御、及び、前記カメラに動画像及び静止画像を撮影させるカメラモードの制御を選択的に実行する制御部とを備える
屋外照明装置。
【請求項１０】
さらに、携帯端末を検知する端末検知部を備え、
前記制御部は、前記照明モードの制御中に前記携帯端末が検知された場合に、前記照明モードの制御に代えて前記カメラモードの制御を開始する
請求項９に記載の屋外照明装置。
【請求項１１】
さらに、認証部、送信部、及び、受信部を備え、
前記制御部は、前記カメラモードの制御において、
前記認証部に前記携帯端末を認証させることにより前記携帯端末との無線通信接続を確立し、
前記送信部に、前記カメラが撮影している動画像を前記無線通信接続が確立された前記携帯端末の表示部に表示するための動画像情報を送信させ、
前記受信部が、前記動画像情報を受信している前記携帯端末から静止画像の撮影を指示する撮影指示情報を受信した場合、受信された前記撮影指示情報に基づいて前記カメラに静止画像を撮影させ、撮影された静止画像の画像情報を、前記送信部に前記携帯端末へ送信させる
請求項１０に記載の屋外照明装置。
【発明の詳細な説明】
【技術分野】
【０００１】
本発明は、動画像及び静止画像の撮影装置として機能する屋外照明装置に関する。
【背景技術】
【０００２】
スマートフォンなどの携帯端末で動画等を視聴することが一般的になっている。特許文献１には、受信端末においてライブ映像を視聴可能なコミュニケーションシステムが開示されている。
【先行技術文献】
【特許文献】
【０００３】
【特許文献１】特開２０１３−０２０５１４号公報
【発明の概要】
【発明が解決しようとする課題】
【０００４】
ところで、ユーザが当該ユーザの手に持ったカメラ付き携帯端末で自身の静止画像を撮影する、いわゆる自撮りにおいては、カメラ付き携帯端末の位置が安定しないため手ぶれが発生しやすい。また、ユーザとカメラ付き携帯端末との距離を確保することが難しい。
【０００５】
本発明は、ユーザが当該ユーザ自身の静止画像などを容易に撮影することができる撮影装置及び屋外照明装置を提供する。
【課題を解決するための手段】
【０００６】
本発明の一態様に係る撮影装置は、携帯端末を認証することにより前記携帯端末との無線通信接続を確立する認証部と、動画像及び静止画像を撮影するカメラと、前記カメラが撮影している動画像を前記無線通信接続が確立された前記携帯端末の表示部に表示するための動画像情報を送信する送信部と、前記動画像情報を受信している前記携帯端末から、静止画像の撮影を指示する撮影指示情報を受信する受信部と、受信された前記撮影指示情報に基づいて前記カメラに静止画像を撮影させ、撮影された静止画像の画像情報を、前記送信部に前記携帯端末へ送信させる制御を行う制御部とを備える。
【０００７】
本発明の一態様に係る屋外照明装置は、路面に設置される柱状の屋外照明装置であって、照明部と、動画像及び静止画像を撮影するカメラと、前記照明部を発光させることにより前記屋外照明装置の周囲を照らす照明モードの制御、及び、前記カメラに動画像及び静止画像を撮影させるカメラモードの制御を選択的に実行する制御部とを備える。
【発明の効果】
【０００８】
本発明の撮影装置及び屋外照明装置によれば、ユーザが当該ユーザ自身の静止画像などを容易に撮影することができる。
【図面の簡単な説明】
【０００９】
【図１】図１は、実施の形態に係る屋外照明装置の概要を説明するための図である。
【図２】図２は、実施の形態に係る屋外照明装置の外観斜視図である。
【図３】図３は、実施の形態に係る屋外照明装置の分解斜視図である。
【図４】図４は、実施の形態に係る屋外照明装置の機能構成を示すブロック図である。
【図５】図５は、実施の形態に係る携帯端末の機能構成を示すブロック図である。
【図６】図６は、制御モードの切り替え動作のフローチャートである。
【図７】図７は、照明モードの制御のフローチャートである。
【図８】図８は、カメラモードの制御の概略を示すシーケンス図である。
【図９】図９は、カメラモードの制御のフローチャートである。
【図１０】図１０は、屋外照明装置が複数並んで配置される例を示す図である。
【図１１】図１１は、カメラモードの制御の変形例１のフローチャートである。
【図１２】図１２は、カメラモードの制御の変形例２のフローチャートである。
【図１３】図１３は、カメラモードの制御の変形例３のフローチャートである。
【図１４】図１４は、変形例に係る屋外照明装置の外観斜視図である。
【図１５】図１５は、変形例に係る屋外照明装置の分解斜視図である。
【発明を実施するための形態】
【００１０】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付しており、重複する説明は省略または簡略化される場合がある。
【００１２】
（実施の形態）
［概要］
以下、実施の形態に係る屋外照明装置について説明する。図１は、屋外照明装置の概要を説明するための図である。図２は、屋外照明装置の外観斜視図である。
【００１３】
図１及び図２に示されるように、実施の形態に係る屋外照明装置１００は、路面に設置される柱状の照明装置である。屋外照明装置１００は、具体的には、ポールライトであるが、屋外照明装置１００の具体的態様は、特に限定されない。
【００１４】
屋外照明装置１００は、例えば、観光地などの路面に設置される。屋外照明装置１００は、周囲を照明する照明部１１を備え、通常は周囲を照明する照明として機能する。つまり、屋外照明装置１００は、照明モードを有する。一方で、屋外照明装置１００は、カメラ１２を備える。屋外照明装置１００の上面に所定のアプリケーションを実行中の携帯端末３０がかざされると、カメラ１２が起動され、屋外照明装置１００は、カメラ１２による記念撮影が可能なカメラモードとなる。
【００１５】
屋外照明装置１００がカメラモードであるときには、携帯端末３０の表示部３１には、カメラ１２によって現在撮影されている動画像が表示される。また、当該動画像が表示されているときには、表示部３１には、撮影指示アイコンＩも表示される。ユーザが撮影指示アイコンＩをタップ操作すると、カメラ１２によって静止画像が撮影され、撮影された静止画像の画像情報が携帯端末３０に送信される。
【００１６】
このように、実施の形態に係る屋外照明装置１００は、照明機能だけでなく、いわゆる自撮りが可能な撮影機能を有し、観光地などで特に有用である。
【００１７】
［屋外照明装置の構造］
以下、屋外照明装置１００の構造について、図２に加えて図３を参照しながら説明する。図３は、屋外照明装置１００の分解斜視図である。
【００１８】
屋外照明装置１００は、角柱状のポールライトである。屋外照明装置１００は、路面に立設される。屋外照明装置１００は、路面にネジなどの固定部材によって固定される電源部２０と、電源部２０の上部に着脱可能に取り付けられる機能部１０とを備える。
【００１９】
電源部２０は、機能部１０に電力を供給する装置である。電源部２０は、具体的には、外部から電力を得るための電源ケーブル２１と、機能部１０が差し込まれる凸構造２２とを有する。凸構造２２は、電源部２０のうち上部に配置され、金属材料によって形成された接点部２３を含む。機能部１０が凸構造２２に差し込まれると、電源部２０及び機能部１０は、機械的に接続されるだけでなく、接点部２３によって電気的に接続される。機能部１０には、電源部２０から接点部２３を介して電力供給が行われる。
【００２０】
凸構造２２に差し込まれた機能部１０は、固定ネジ２４によって固定される。機能部１０には、上方から固定ネジ２４が挿通される挿通孔１３が設けられ、挿通孔１３は、蓋１４によって塞がれる。
【００２１】
機能部１０は、電源部２０から供給される電力を用いて動作する。機能部１０は、直方体状の外形を有し、機能部１０の大部分は、周囲を照明する照明部１１である。照明部１１は、照明モードにおいて周囲を照らすための光を発する。また、照明部１１は、カメラモードにおいても、カメラ１２の撮影範囲を照らす光を発する。
【００２２】
また、機能部１０は、屋外照明装置１００がカメラモードであるときに、動画像及び静止画像を撮影するカメラ１２を備える。正面からカメラ１２を見た場合、カメラ１２の周囲には、照明部１１が配置されている。これにより、照明部１１は、カメラモードにおいても、カメラ１２の撮影範囲を効果的に照らすことができる。
【００２３】
［屋外照明装置の機能構成］
次に、屋外照明装置１００の機能構成について説明する。図４は、屋外照明装置１００の機能構成を示すブロック図である。なお、図４では、電源ケーブル２１などの既に説明された構成要素の一部についても図示されている。
【００２４】
まず、電源部２０について説明する。図４に示されるように、電源部２０は、電源制御部２５と、出力部２６とを備える。
【００２５】
電源制御部２５は、電源ケーブル２１を介して得られる電力を、機能部１０の動作に適した電力に変換する制御を行う。電源制御部２５は、具体的には、電力系統から電源ケーブル２１を介して得られる交流電力を直流電力に変換して出力する電源回路である。電源回路には、整流回路、及び、スイッチング電源回路などが含まれる。
【００２６】
出力部２６は、電源制御部２５から出力される直流電力を入力部１５に出力する。出力部２６は、例えば、保護回路などを含む出力インターフェース回路である。
【００２７】
次に、機能部１０について説明する。機能部１０は、照明部１１と、カメラ１２と、入力部１５と、端末検知部１６ａと、認証部１６ｂと、無線通信部１６ｃと、明るさ検知部１７と、制御部１８と、記憶部１９とを備える。
【００２８】
入力部１５は、出力部２６から供給される直流電力を、機能部１０が備える複数の構成要素のそれぞれに分配する。直流電力は、構成要素ごとに当該構成要素の動作に適した電力に変換された上で分配される。入力部１５は、例えば、ＤＣ−ＤＣコンバータなどの電力変換回路を含む。
【００２９】
照明部１１は、制御部１８の制御に基づいて、機能部１０の周囲を照明する。照明部１１は、例えば、ＬＥＤ（Ｌｉｇｈｔ  Ｅｍｉｔｔｉｎｇ  Ｄｉｏｄｅ）などの発光素子、当該発光素子の発光を制御する発光制御回路、及び、当該発光素子が発する光を透過する透光カバーなどを含む。照明部１１は、例えば、白色光を発する。なお、発光制御回路は、調光機能または調色機能に対応していてもよい。つまり、照明部１１の明るさ、及び、色温度は、制御部１８によって調整されてもよい。
【００３０】
カメラ１２は、制御部１８の制御に基づいて、動画像及び静止画像を撮影する。カメラ１２は、例えば、イメージセンサ及びレンズなどを含むカメラユニットである。イメージセンサには、具体的には、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサまたはＣＣＤ（Ｃｈａｒｇｅ  Ｃｏｕｐｌｅｄ  Ｄｅｖｉｃｅ）イメージセンサなどである。
【００３１】
端末検知部１６ａは、携帯端末３０を検知する。端末検知部１６ａは、例えば、近距離無線通信を用いて携帯端末３０の機能部１０の上面への近接を検知する。近距離無線通信には、無線通信部１６ｃが行う無線通信よりも通信可能な距離が短い方式が用いられる。端末検知部１６ａは、具体的には、携帯端末３０が有する近距離無線通信部３４を検知し、携帯端末３０のＩＤなどを読み取るＲＦＩＤ（Ｒａｄｉｏ  Ｆｒｅｑｕｅｎｃｙ  ＩＤｅｎｔｉｆｉｃａｔｉｏｎ）モジュールなどである。ＲＦＩＤモジュールは、例えば、ＲＦＩＤタグリーダ機能を有する回路モジュールである。ＲＦＩＤモジュールには、具体的には、ＮＦＣ（Ｎｅａｒ  Ｆｉｅｌｄ  Ｒａｄｉｏ  Ｃｏｍｍｕｎｉｃａｔｉｏｎ）モジュールなどが含まれる。
【００３２】
認証部１６ｂは、端末検知部１６ａによって読み取られた携帯端末３０のＩＤなどを用いて携帯端末３０の認証を行い、無線通信部１６ｃを用いた携帯端末３０との無線通信接続を確立する。認証部１６ｂは、例えば、マイクロコンピュータによって実現されるが、プロセッサまたは専用回路によって実現されてもよい。認証部１６ｂは、マイクロコンピュータ、プロセッサ、及び、専用回路のうち２つ以上の組み合わせによって実現されてもよい。認証部１６ｂは、制御部１８の一部として実現されてもよい。
【００３３】
無線通信部１６ｃは、認証部１６ｂによって携帯端末３０との無線通信接続が確立された後、携帯端末３０との無線通信を行う。無線通信部１６ｃは、具体的には、送信部として機能し、制御部１８の制御に基づいて動画像情報を携帯端末３０に送信する。動画像情報は、カメラ１２が撮影している動画像を無線通信接続が確立された携帯端末３０の表示部３１に表示するための情報である。
【００３４】
また、無線通信部１６ｃは、受信部として機能し、動画像情報を受信している携帯端末３０から、静止画像の撮影を指示する撮影指示情報を受信する。言い換えれば、無線通信部１６ｃは、表示部３１に動画像が表示されている携帯端末３０から撮影指示情報を受信する。
【００３５】
無線通信部１６ｃは、例えば、Ｂｌｕｅｔｏｏｔｈ（登録商標）などの無線通信規格に対応する通信回路によって実現される。通信回路は、言い換えれば、通信モジュールである。なお、Ｂｌｕｅｔｏｏｔｈ（登録商標）以外の無線通信規格が用いられてもよく、無線通信部１６ｃが使用する無線通信規格については特に限定されない。無線通信部１６ｃは、例えば、Ｗｉ−Ｆｉ（登録商標）に対応する通信回路であってもよい。
【００３６】
無線通信部１６ｃは、例えば、携帯端末３０の無線通信部３５と、インターネットなどの通信ネットワークまたはサーバなどの中継装置を介さずに直接無線通信を行う。無線通信部１６ｃは、携帯端末３０の無線通信部３５と、インターネット及びサーバなどを介して無線通信を行ってもよい。この場合、サーバに複数の屋外照明装置１００の撮影履歴が当該屋外照明装置１００の設置場所ごとに記憶されることにより、設置者は、当該情報を活用することができる。例えば、設置者は、屋外照明装置１００の利用頻度が高い場所に屋外照明装置１００の追加を検討することができる。
【００３７】
明るさ検知部１７は、屋外照明装置１００の周囲の明るさを検知するセンサである。明るさ検知部１７は、カメラ１２の撮影範囲の明るさを検知してもよい。明るさ検知部１７は、例えば、フォトダイオードなどの光電変換素子、及び、増幅回路などを含むセンシング回路である。センシング回路は、言い換えれば、センシングモジュールである。なお、明るさ検知部１７は、カメラ１２によって撮影された動画像または静止画像を画像処理することにより明るさを検知する画像処理部であってもよい。この場合、画像処理部は、例えば、マイクロコンピュータによって実現されるが、プロセッサまたは専用回路によって実現されてもよい。画像処理部は、マイクロコンピュータ、プロセッサ、及び、専用回路のうち２つ以上の組み合わせによって実現されてもよい。画像処理部は、制御部１８の一部として実現されてもよい。
【００３８】
制御部１８は、照明部１１、カメラ１２、認証部１６ｂ、及び、無線通信部１６ｃなどを制御する制御装置である。制御部１８は、具体的には、照明モードの制御中に携帯端末３０が検知された場合に、照明モードの制御に代えてカメラモードの制御を開始する。制御部１８は、カメラモードの制御において、無線通信部１６ｃによって受信された撮影指示情報に基づいてカメラに静止画像を撮影させる。また、制御部１８は、撮影された静止画像の画像情報を、無線通信部１６ｃに携帯端末３０へ送信させる。静止画像の画像情報は、カメラ１２によって撮影された静止画像を携帯端末３０の表示部３１に表示するための情報である。なお、以下の実施の形態において、静止画像の画像情報は、単に画像情報とも記載される。
【００３９】
制御部１８は、例えば、マイクロコンピュータによって実現されるが、プロセッサまたは専用回路によって実現されてもよい。制御部１８は、マイクロコンピュータ、プロセッサ、及び、専用回路のうち２つ以上の組み合わせによって実現されてもよい。
【００４０】
記憶部１９は、制御部１８によって実行される制御プログラム等が記憶される記憶装置である。記憶部１９は、例えば、半導体メモリなどによって実現される。記憶部１９は、制御部１８に含まれていてもよい。
【００４１】
［携帯端末］
次に、携帯端末３０の機能構成について説明する。図５は、携帯端末３０の機能構成を示すブロック図である。図５に示されるように、携帯端末３０は、表示部３１と、操作受付部３２と、端末制御部３３と、近距離無線通信部３４と、無線通信部３５と、記憶部３６とを備える。
【００４２】
携帯端末３０は、ユーザが屋外照明装置１００からカメラ１２によって撮影された動画像情報及び静止画像の画像情報を受信するための情報端末である。携帯端末３０は、例えば、タブレット端末またはスマートフォンなどである。
【００４３】
操作受付部３２は、ユーザの操作を受け付ける。操作受付部３２は、例えば、タッチパネル、及び、ハードウェアボタンなどによって実現される。操作受付部３２は、具体的には、屋外照明装置１００との通信を行うための専用アプリケーションの実行操作、及び、撮影指示操作などを受け付ける。
【００４４】
端末制御部３３は、操作受付部３２によって受け付けられた操作に基づいて、当該操作に応じた制御を行う。端末制御部３３は、例えば、マイクロコンピュータによって実現されるが、プロセッサまたは専用回路によって実現されてもよい。端末制御部３３は、マイクロコンピュータ、プロセッサ、及び、専用回路のうち２つ以上の組み合わせによって実現されてもよい。
【００４５】
端末制御部３３は、例えば、操作受付部３２によって専用アプリケーションの実行操作が受け付けられると、記憶部３６に記憶された専用アプリケーションを実行する。また、端末制御部３３は、操作受付部３２によって撮影指示操作が受け付けられると、無線通信部３５に撮影指示情報を送信させる。
【００４６】
近距離無線通信部３４は、屋外照明装置１００の端末検知部１６ａが携帯端末３０を検知するために用いられる検知対象物である。近距離無線通信部３４は、例えば、ＲＦＩＤタグであるが、ＲＦＩＤモジュールなどであってもよい。
【００４７】
無線通信部３５は、端末制御部３３の制御に基づいて、撮影指示情報を屋外照明装置１００に送信する。無線通信部３５は、屋外照明装置１００から送信される動画像情報及び静止画像の画像情報を受信する。無線通信部３５は、具体的には、Ｂｌｕｅｔｏｏｔｈ（登録商標）などの無線通信規格に対応する通信回路によって実現される。通信回路は、言い換えれば、通信モジュールである。なお、Ｂｌｕｅｔｏｏｔｈ（登録商標）以外の無線通信規格が用いられてもよく、無線通信部３５が使用する無線通信規格については特に限定されない。無線通信部３５は、例えば、Ｗｉ−Ｆｉ（登録商標）に対応する通信回路であってもよい。
【００４８】
表示部３１は、端末制御部３３の制御に基づき、無線通信部３５によって受信された動画像情報に対応する動画像を表示する。動画像の表示中には、撮影指示アイコンＩも表示する。また、表示部３１は、無線通信部３５によって受信され、かつ、記憶部３６に記憶された画像情報に基づいて、静止画像を表示することもできる。表示部３１は、例えば、液晶パネルまたは有機ＥＬパネルなどの表示デバイスによって実現される。
【００４９】
近距離無線通信部３４は、屋外照明装置１００が携帯端末３０を検知するために用いられる検知対象物である。近距離無線通信部３４は、例えば、ＲＦＩＤタグであるが、ＲＦＩＤモジュールなどであってもよい。
【００５０】
記憶部３６は、端末制御部３３によって実行される専用アプリケーション、無線通信部３５によって受信された動画像情報、及び、無線通信部３５によって受信された画像情報などが記憶される記憶装置である。記憶部３６は、具体的には、半導体メモリなどにより実現される。
【００５１】
［屋外照明装置の動作］
次に、屋外照明装置１００の動作について説明する。まず、制御モードの切り替え動作について説明する。図６は、制御モードの切り替え動作のフローチャートである。
【００５２】
屋外照明装置１００は、基本的には、照明モードとなる。つまり、制御部１８は、照明部１１を発光させることにより、屋外照明装置１００の周囲を照らす照明モードの制御を行う（Ｓ１１）。
【００５３】
照明モードの制御中において、制御部１８は、端末検知部１６ａによって、専用アプリケーションを実行中の携帯端末３０が検知されたか否かを判定する（Ｓ１２）。言い換えれば、制御部１８は、携帯端末３０のユーザが専用アプリケーションを実行した状態の携帯端末３０を屋外照明装置１００に近づけてきたか否かを判定する。なお、屋外照明装置１００には、専用アプリケーションのダウンロード先のアドレスが記載されたシール等が貼り付けられていてもよい。アドレスは、例えば、二次元バーコードなどによって記述される。これにより、ユーザは、その場で専用アプリケーションをダウンロードすることができる。なお、上記シールには、撮影スポット情報などが記載されていてもよい。
【００５４】
制御部１８は、端末検知部１６ａによって携帯端末３０が検知されていないと判定した場合（Ｓ１２でＮｏ）、照明モードの制御を継続する（Ｓ１１）。一方、制御部１８は、端末検知部１６ａによって携帯端末３０が検知されたと判定した場合（Ｓ１２でＹｅｓ）、カメラに動画像及び静止画像を撮影させるカメラモードの制御を開始する（Ｓ１３）。
【００５５】
このように、制御部１８は、照明モードの制御、及び、カメラモードの制御を選択的に実行する。制御部１８は、具体的には、照明モードの制御中に携帯端末３０が検知された場合に、照明モードの制御に代えてカメラモードの制御を開始する。これにより、屋外照明装置１００は、照明装置としてだけでなく、動画像及び静止画像の撮影装置として機能することができる。
【００５６】
なお、このような屋外照明装置１０の動作は一例である。上記専用アプリケーションの実行は、携帯端末３０が備えるＧＰＳ（Ｇｌｏｂａｌ  Ｐｏｓｉｔｉｏｎｉｎｇ  Ｓｙｓｔｅｍ）モジュールなどの位置センサによって検知された位置情報に基づいて自動的に行われてもよい。例えば、位置センサによって検知された位置情報が示す携帯端末３０の位置から屋外照明装置１００の位置までの距離が所定距離以下である場合に、端末制御部３３は、専用アプリケーションを立ち上げてもよい。また、端末制御部３３は、位置センサによって検知された位置情報が示す携帯端末３０の位置から屋外照明装置１００の位置までの距離が所定距離を超えると、実行中の専用アプリケーションを終了させる。なお、屋外照明装置１００の位置は、専用アプリケーションのダウンロード時などに専用アプリケーションと合わせて記憶部３６に記憶される。
【００５７】
［照明モードの制御］
次に、制御部１８の照明モードの制御について説明する。図７は、屋外照明装置１００の照明モードの制御のフローチャートである。
【００５８】
制御部１８は、照明部１１を消灯させているときに（Ｓ２１）、明るさ検知部１７によって検知された明るさが所定の明るさ未満であるか否かを判定する（Ｓ２２）。制御部１８は、明るさ検知部１７によって検知された明るさが所定の明るさ以上であると判定した場合には（Ｓ２２でＮｏ）、照明部１１の消灯状態を維持する（Ｓ２１）。制御部１８は、明るさ検知部１７によって検知された明るさが所定の明るさ未満であると判定した場合には（Ｓ２２でＹｅｓ）、照明部１１を発光させる（Ｓ２３）。言い換えれば、制御部１８は、照明部１１を点灯する。
【００５９】
なお、照明モードにおいて、周囲の明るさに応じて照明部１１が点灯することは必須ではない。屋外照明装置１００は、照明モードにおいて常に発光してもよい。
【００６０】
［カメラモードの制御］
次に、カメラモードの制御について説明する。まず、カメラモードの制御の概略について、シーケンス図を用いて説明する。図８は、カメラモードの制御の概略を示すシーケンス図である。
【００６１】
携帯端末３０の端末制御部３３は、操作受付部３２によって専用アプリケーションの実行操作が受け付けられると（Ｓ３１）、記憶部３６に記憶された専用アプリケーションを実行する（Ｓ３２）。アプリケーションを実行中の携帯端末３０がユーザによって屋外照明装置１００に近づけられると、端末検知部１６ａは、このような携帯端末３０を検知し（Ｓ３３）、制御部１８は、カメラモードの制御を開始する。
【００６２】
カメラモードの制御において、制御部１８は、カメラ１２によって撮影中の動画像を無線通信部１６ｃにライブ配信させる。ライブ配信は、言い換えれば、リアルタイム配信である。携帯端末３０は、具体的には、カメラ１２が撮影している動画像を表示部３１に表示するための動画像情報を送信する（Ｓ３４）。送信された動画像情報は、携帯端末３０の無線通信部３５によって受信され（Ｓ３５）、表示部３１は、受信された動画像情報に基づいて動画像を表示する（Ｓ３６）。
【００６３】
次に、操作受付部３２は、撮影指示操作を受け付ける（Ｓ３７）。操作受付部３２は、具体的には、上記図１で説明した撮影指示アイコンへのタップ操作を受け付ける。そうすると、端末制御部３３は、無線通信部３５に撮影指示情報を送信させる（Ｓ３８）。
【００６４】
屋外照明装置１００の制御部１８は、無線通信部１６ｃによって撮影指示情報が受信されると（Ｓ３９）、カメラ１２に静止画像を撮影させ（Ｓ４０）、撮影された静止画像の画像情報を無線通信部１６ｃに送信させる（Ｓ４１）。携帯端末３０の無線通信部３５によって静止画像の画像情報が受信されると（Ｓ４２）、端末制御部３３は、受信された静止画像の画像情報を記憶部３６に記憶する（Ｓ４３）。
【００６５】
次に、制御部１８のカメラモードの制御の詳細についてフローチャートを参照しながら説明する。図９は、カメラモードの制御のフローチャートである。
【００６６】
まず、制御部１８は、認証部１６ｂに携帯端末３０を認証させることにより携帯端末３０との無線通信接続を確立する（Ｓ５１）。認証部１６ｂは、具体的には、端末検知部１６ａによって読み取られた携帯端末３０のＩＤなどを用いて携帯端末３０の認証を行う。
【００６７】
次に、制御部１８は、明るさ検知部１７によって検知された明るさが所定の明るさ未満であるか否かを判定する（Ｓ５２）。制御部１８は、明るさ検知部１７によって検知された明るさが所定の明るさ未満であると判定した場合には（Ｓ５２でＹｅｓ）、消灯状態の照明部１１を発光させる（Ｓ５３）。このとき、制御部１８は、明るさ検知部１７によって検知される明るさが所定の明るさになるように、照明部１１の明るさを調整してもよい。一方、制御部１８は、明るさ検知部１７によって検知された明るさが所定の明るさ以上であると判定した場合には（Ｓ５２でＮｏ）、ステップＳ５３の処理をスキップしてステップＳ５４の処理を行う。
【００６８】
ステップＳ５２の処理及びステップＳ５３の処理のように、カメラモードの制御においては、屋外照明装置１００の周辺の明るさが不足している場合に、照明モードの制御において周囲の空間を照らす照明部１１が、動画像及び静止画像の撮影用照明として利用される。なお、照明部１１は、例えば、カメラモードの制御の開始時にいったん消灯されるが、カメラモードの制御の開始時に発光していてもよい。
【００６９】
次に、制御部１８は、カメラ１２を起動し、無線通信部１６ｃに、カメラ１２が撮影している動画像の動画像情報を、ステップＳ５１において無線通信接続が確立された携帯端末３０へ送信させる（Ｓ５４）。言い換えれば、無線通信部１６ｃは、カメラ１２によって撮影中の動画像を携帯端末３０にライブ配信する。動画像情報は、動画像を表示部３１に表示するための情報である。
【００７０】
その後、制御部１８は、無線通信部１６ｃが動画像情報を受信している携帯端末３０から撮影指示情報を受信したか否かを判定する（Ｓ５５）。撮影指示情報は、静止画像の撮影を指示する情報である。制御部１８は、無線通信部１６ｃが撮影指示情報を受信したと判定した場合（Ｓ５５でＹｅｓ）、受信された撮影指示情報に基づいてカメラ１２に静止画像を撮影させる（Ｓ５６）。カメラ１２は、例えば、撮影中の動画像を構成するフレームのうち、撮影指示情報が受信された直後に撮影されたフレームを静止画像とするが、動画像を構成するフレームとは別に静止画像を撮影してもよい。つまり、「静止画像を撮影する」には、動画像を構成するフレームを静止画像とする場合と、動画像とは別に静止画像を撮影する場合の両方が含まれる。そして、制御部１８は、撮影された静止画像の画像情報を、無線通信部１６ｃに携帯端末３０へ送信させる（Ｓ５７）。ステップＳ５５の判定は、撮影指示情報が受信されるまで継続される（Ｓ５５でＮｏ）。
【００７１】
次に、制御部１８は、静止画像の撮影回数が所定数未満であるか否かを判定する（Ｓ５８）。制御部１８は、静止画像の撮影回数が所定数未満である場合（Ｓ５８でＹｅｓ）、ステップＳ５５の判定を再度行う。制御部１８は、静止画像の撮影回数が所定数以上である場合（Ｓ５８でＮｏ）、カメラ１２を停止し（Ｓ５９）、カメラモードの制御を終了する。なお、ステップＳ５８の処理は、同じユーザが屋外照明装置１００を専有してしまわないように、静止画像の撮影回数に上限を設ける処理である。ステップＳ５８の処理は、必須の処理ではない。
【００７２】
このように、携帯端末３０と別体のカメラ１２を備える屋外照明装置１００が静止画像の撮影に使用されれば、カメラ１２が固定されているため手ぶれが発生しにくい。また、ユーザとカメラ１２との距離も確保しやすい。さらに、現在カメラ１２によって撮影されている動画像が表示部３１にリアルタイム表示されるため、ユーザは、撮影状況を認識しやすい。したがって、屋外照明装置１００によれば、携帯端末３０のユーザが静止画像を容易に撮影することができる。特に、ユーザは、ユーザ自身の静止画像を容易に撮影することができる。
【００７３】
また、ステップＳ５３において照明部１１が発光する場合、制御部１８は、照明部１１を発光させながら、撮影指示情報に基づいてカメラに静止画像を撮影させる。これにより、制御部１８は、静止画像において明るさが不足し、被写体が不鮮明になることを抑制することができる。
【００７４】
［カメラモードの制御の変形例１］
ところで、図１０に示されるように、屋外照明装置１００は、複数並んで配置されることが想定される。図１０は、屋外照明装置１００が複数並んで配置される例を示す図である。図１０の例では、屋外照明装置１００の一方の隣に屋外照明装置１００ａが配置され、屋外照明装置１００の他方の隣に屋外照明装置１００ｂが配置されている。
【００７５】
このような場合、制御部１８は、屋外照明装置１００の照明部１１だけでなく、屋外照明装置１００ａの照明部１１、及び、屋外照明装置１００ｂの照明部１１を発光させてもよい。例えば、制御部１８は、屋外照明装置１００の照明部１１が発光している状態で明るさが足りないような場合に、屋外照明装置１００ａの照明部１１、及び、屋外照明装置１００ｂの照明部１１の少なくとも一方を発光させてもよい。
【００７６】
以下、このような制御部１８のカメラモードの制御の変形例１について説明する。図１１は、カメラモードの制御の変形例１のフローチャートである。なお、以下の変形例１の説明においては、図９のフローチャートとの相違点を中心に説明が行われる。
【００７７】
図１１に示されるように、変形例１では、制御部１８は、照明部１１を発光させた後（Ｓ５３）、再度、明るさ検知部１７によって検知された明るさが所定の明るさ未満であるか否かを判定する（Ｓ６１）。制御部１８は、照明部１１が発光中にもかかわらず、明るさ検知部１７によって検知された明るさが所定の明るさ未満であると判定した場合には（Ｓ６１でＹｅｓ）、他の屋外照明装置１００が備える照明部１１を発光させる指令を、無線通信部１６ｃに送信させる（Ｓ６２）。無線通信部１６ｃは、当該指令を、屋外照明装置１００ａ及び屋外照明装置１００ｂの少なくとも一方へ送信する。制御部１８は、明るさ検知部１７によって検知された明るさが所定の明るさ以上であると判定した場合には（Ｓ６１でＮｏ）、ステップＳ６２の処理をスキップしてステップＳ５４の処理を行う。
【００７８】
このように、変形例１では、制御部１８は、屋外照明装置１００の照明部１１が発光している状態でも明るさが足りないような場合に、屋外照明装置１００ａの照明部１１、及び、屋外照明装置１００ｂの照明部１１の少なくとも一方を発光させる。これにより、周囲の明るさが不足した状態で静止画像が撮影されることが抑制される。つまり、静止画像の品質を向上させることができる。
【００７９】
なお、カメラモードの制御中の屋外照明装置１００は、屋外照明装置１００ａ等の他の屋外照明装置から上記指令を受信した場合、自身のカメラモードの制御を優先し、当該指令に従わなくてもよい。この場合、屋外照明装置１００の制御部１８は、屋外照明装置１００の照明部１１を点滅させるなどして、自身がカメラモードの制御中であり、屋外照明装置１００ａにおける静止画像の撮影に参加できない旨を通知してもよい。
【００８０】
［カメラモードの制御の変形例２］
照明部１１の明るさは、携帯端末３０のユーザによって調整されてもよい。以下、このような制御部１８のカメラモードの制御の変形例２について説明する。図１２は、カメラモードの制御の変形例２のフローチャートである。なお、以下の変形例２の説明においては、図９のフローチャートとの相違点を中心に説明が行われる。
【００８１】
図１２に示されるように、変形例２では、制御部１８は、無線通信部１６ｃに動画像の動画像情報を送信させた後（Ｓ５４）、無線通信部１６ｃが携帯端末３０から明るさ指示情報を受信したか否かを判定する（Ｓ７１）。明るさ指示情報は、照明部１１の明るさを指示する情報である。制御部１８は、無線通信部１６ｃが明るさ指示情報を受信したと判定した場合（Ｓ７１でＹｅｓ）、受信された明るさ指示情報に基づく明るさで照明部１１を発光させる（Ｓ７２）。ステップＳ７２の処理には、消灯中の照明部１１を発光させる処理、発光中の照明部１１を消灯する処理、及び、発光中の照明部１１の明るさを調整する処理などが含まれる。ステップＳ７１の判定は、撮影指示情報が受信されるまで継続的に行われる（Ｓ７１でＮｏ、Ｓ５５でＮｏ）。
【００８２】
このように、変形例２では、無線通信部１６ｃは、携帯端末３０から、照明部１１の明るさを指示する明るさ指示情報を受信し、制御部１８は、受信された明るさ指示情報に基づいて、照明部１１の明るさを制御する。これにより、携帯端末３０のユーザは、所望の明るさで静止画像の撮影を行うことができる。
【００８３】
［カメラモードの制御の変形例３］
上記実施の形態では、制御部１８は、撮影指示情報が受信される前に照明部１１の発光を開始した。しかしながら、制御部１８は、撮影指示情報が受信された後に照明部１１の発光を開始してもよい。
【００８４】
例えば、照明部１１は、静止画像の撮影の直前に瞬時発光してもよい。つまり、制御部１８は、照明部１１をフラッシュ動作させてもよい。以下、このような制御部１８のカメラモードの制御の変形例３について説明する。図１３は、カメラモードの制御の変形例３のフローチャートである。なお、以下の変形例３の説明においては、図９のフローチャートとの相違点を中心に説明が行われる。
【００８５】
図１３に示されるように、変形例３では、制御部１８は、撮影指示情報を受信した後に（Ｓ５５でＹｅｓ）、明るさ検知部１７によって検知された明るさが所定の明るさ未満であるか否かを判定する（Ｓ８１）。制御部１８は、明るさ検知部１７によって検知された明るさが所定の明るさ未満であると判定した場合には（Ｓ８１でＹｅｓ）、照明部１１を瞬時発光させ（Ｓ８２）、照明部１１の瞬時発光とほとんど同時にカメラ１２に静止画像を撮影させる（Ｓ５６）。制御部１８は、明るさ検知部１７によって検知された明るさが所定の明るさ以上であると判定した場合には（Ｓ８１でＮｏ）、ステップＳ８２の処理をスキップしてステップＳ５６の処理を行う。
【００８６】
このように、変形例３では、制御部１８は、撮影指示情報が受信された後に照明部１１の発光を開始する。これにより、照明部１１の発光時間が短くなり、カメラモードの制御における消費電力が削減される。
【００８７】
［屋外照明装置の構造の変形例］
屋外照明装置１００の構造は、上記のような構造に限定されない。図１４は、変形例に係る屋外照明装置の外観斜視図である。図１５は、変形例に係る屋外照明装置の分解斜視図である。
【００８８】
図１４及び図１５に示される屋外照明装置１００ｃは、円柱状のポールライトである。屋外照明装置１００ｃは、路面に立設される。屋外照明装置１００ｃは、路面にネジなどの固定部材によって固定される電源部２０ｃと、電源部２０ｃの上部に着脱可能に取り付けられる機能部１０ｃとを備える。
【００８９】
電源部２０ｃは、機能部１０ｃに電力を供給する装置である。電源部２０ｃは、具体的には、外部から電力を得るための電源ケーブル２１ｃと、機能部１０ｃが差し込まれる円柱状凸構造２２ｃとを有する。円柱状凸構造２２ｃは、電源部２０ｃのうち上部に配置され、金属材料によって形成された接点部２３ｃを含む。接点部２３ｃは、円柱状凸構造２２ｃの外周面に形成され、周方向に沿って長い形状を有する。機能部１０ｃが円柱状凸構造２２ｃに回し入れられると、電源部２０ｃ及び機能部１０ｃは、機械的に接続されるだけでなく、接点部２３によって電気的に接続される。機能部１０ｃには、電源部２０ｃから接点部２３ｃを介して電力供給が行われる。
【００９０】
円柱状凸構造２２ｃに差し込まれた機能部１０ｃは、固定ネジ２４ｃによって固定される。機能部１０ｃには、上方から固定ネジ２４ｃが挿通される挿通孔１３ｃが設けられ、挿通孔１３ｃは、蓋１４ｃによって塞がれる。
【００９１】
機能部１０ｃは、電源部２０ｃから供給される電力を用いて動作する。機能部１０ｃは、円柱状の外形を有し、機能部１０ｃの大部分は、周囲を照明する照明部１１ｃである。照明部１１ｃは、照明モードにおいて周囲を照らすための光を発する。また、照明部１１ｃは、カメラモードにおいても、カメラ１２ｃの撮影範囲を照らす光を発する。
【００９２】
また、機能部１０ｃは、屋外照明装置１００ｃがカメラモードであるときに、動画像及び静止画像を撮影するカメラ１２ｃを備える。正面からカメラ１２ｃを見た場合、カメラ１２ｃの周囲には、照明部１１ｃが配置されている。これにより、照明部１１ｃは、カメラモードにおいても、カメラ１２ｃの撮影範囲を効果的に照らすことができる。
【００９３】
なお、機能部１０ｃの機能構成は、機能部１０と同様であり、電源部２０ｃの機能構成は、電源部２０と同様である。
【００９４】
［効果等］
以上説明したように、屋外照明装置１００は、路面に設置される柱状の屋外照明装置である。屋外照明装置１００は、照明部１１と、動画像及び静止画像を撮影するカメラ１２と、照明部１１を発光させることにより屋外照明装置１００の周囲を照らす照明モードの制御、及び、カメラ１２に動画像及び静止画像を撮影させるカメラモードの制御を選択的に実行する制御部１８とを備える。
【００９５】
これにより、屋外照明装置１００は、照明装置としてだけでなく、動画像及び静止画像の撮影装置として機能することができる。
【００９６】
また、例えば、屋外照明装置１００は、さらに、携帯端末３０を検知する端末検知部１６ａを備える。制御部１８は、照明モードの制御中に携帯端末３０が検知された場合に、照明モードの制御に代えてカメラモードの制御を開始する。
【００９７】
これにより、屋外照明装置１００は、携帯端末３０の検知を契機として照明モードからカメラモードに移行することができる。
【００９８】
また、例えば、屋外照明装置１００は、さらに、認証部１６ｂ、及び、無線通信部１６ｃを備える。制御部１８は、カメラモードの制御において、認証部１６ｂに携帯端末３０を認証させることにより携帯端末３０との無線通信接続を確立し、無線通信部１６ｃに、カメラ１２が撮影している動画像を無線通信接続が確立された携帯端末３０の表示部３１に表示するための動画像情報を送信させ、無線通信部１６ｃが、動画像情報を受信している携帯端末３０から静止画像の撮影を指示する撮影指示情報を受信した場合、受信された撮影指示情報に基づいてカメラ１２に静止画像を撮影させ、撮影された静止画像の画像情報を、無線通信部１６ｃに携帯端末３０へ送信させる。無線通信部１６ｃは、送信部及び受信部の一例である。
【００９９】
これにより、携帯端末３０のユーザが静止画像を容易に撮影することができる。特に、ユーザは、ユーザ自身の静止画像を容易に撮影することができる。
【０１００】
また、本発明は、機能部１０に相当する撮影装置として実現されてもよい。このような撮影装置は、携帯端末３０を認証することにより携帯端末３０との無線通信接続を確立する認証部１６ｂと、動画像及び静止画像を撮影するカメラ１２と、カメラ１２が撮影している動画像を無線通信接続が確立された携帯端末３０の表示部３１に表示するための動画像情報を送信し、かつ、動画像情報を受信している携帯端末３０から、静止画像の撮影を指示する撮影指示情報を受信する無線通信部１６ｃと、受信された撮影指示情報に基づいてカメラ１２に静止画像を撮影させ、撮影された静止画像の画像情報を、無線通信部１６ｃに携帯端末３０へ送信させる制御を行う制御部１８とを備える。
【０１０１】
これにより、携帯端末３０のユーザが静止画像を容易に撮影することができる。特に、ユーザは、ユーザ自身の静止画像を容易に撮影することができる。
【０１０２】
また、例えば、撮影装置は、さらに、撮影装置の周囲を照らす照明部１１を備える。制御部１８は、照明部１１を発光させながら、撮影指示情報に基づいてカメラ１２に静止画像を撮影させる。
【０１０３】
これにより、撮影装置は、カメラ１２の撮影範囲を明るくした状態で静止画像を撮影することができる。
【０１０４】
また、例えば、撮影装置は、さらに、撮影装置の周囲の明るさを検知する明るさ検知部１７を備える。制御部１８は、検知された明るさが所定の明るさ未満である場合に、照明部１１を発光させる。
【０１０５】
これにより、撮影装置は、撮影装置の周囲の明るさが不足する場合に、カメラ１２の撮影範囲を明るくした状態で静止画像を撮影することができる。
【０１０６】
また、例えば、無線通信部１６ｃは、さらに、携帯端末３０から、照明部１１の明るさを指示する明るさ指示情報を受信する。制御部１８は、受信された明るさ指示情報に基づいて、照明部１１の明るさを制御する。
【０１０７】
これにより、携帯端末３０のユーザは、携帯端末を操作して明るさ指示情報を送信することにより、所望の明るさで静止画像の撮影を行うことができる。
【０１０８】
また、例えば、制御部１８は、撮影指示情報が受信される前に照明部１１の発光を開始する。
【０１０９】
これにより、制御部１８は、静止画像を撮影する前に撮影装置の周囲の明るさを調整するなどの制御が可能となる。
【０１１０】
また、例えば、制御部１８は、撮影指示情報が受信された後に照明部１１の発光を開始する。
【０１１１】
これにより、撮影指示情報が受信される前から照明部１１が発光している場合よりも、照明部１１の発光に起因する消費電力を低減することができる。
【０１１２】
また、例えば、制御部１８は、他の撮影装置が備える照明部１１を発光させる指令を、無線通信部１６ｃに他の撮影装置へ送信させる。
【０１１３】
これにより、他の撮影装置の照明部１１が発光することで、周囲の明るさが不足した状態で静止画像が撮影されることが抑制される。つまり、静止画像の品質が向上される。
【０１１４】
また、例えば、撮影装置は、さらに、撮影装置の周囲の明るさを検知する明るさ検知部１７を備える。制御部１８は、照明部１１を発光させているときに検知された明るさが所定の明るさ未満である場合に、他の撮影装置が備える照明部１１を発光させる指令を、無線通信部１６ｃに他の撮影装置へ送信させる。
【０１１５】
これにより、照明部１１が発光している状態でも明るさが足りないような場合に他の撮影装置の照明部１１が発光することで、周囲の明るさが不足した状態で静止画像が撮影されることが抑制される。つまり、静止画像の品質が向上される。
【０１１６】
（その他の実施の形態）
以上、実施の形態に係る屋外照明装置について説明したが、本発明は、上記実施の形態に限定されるものではない。
【０１１７】
例えば、上記実施の形態では、電源部は、電力系統から得られる交流電力を直流電力に変換して機能部に供給したが、電源部は、このような構成に限定されない。電源部は、機能部に交流電力を供給してもよい。また、電源部は、蓄電池を備え、蓄電池に充電された電力を機能部に供給してもよい。電源部は、太陽光パネルなどの発電部を備え、発電された電力を機能部に供給してもよい。
【０１１８】
また、電源部が太陽光パネルなどの発電部を備える場合、機能部が備える制御部は、電源部の発電電力に基づいて周囲の明るさを検知してもよい。この場合、制御部は、電源部から発電電力を示す情報を取得し、発電電力が低いほど周囲が暗いと判断することができる。つまり、制御部は、発電電力に基づいて、撮影時の照明の必要性、及び、照明の明るさを判断することができる。
【０１１９】
また、上記実施の形態で説明されたように、機能部は、電源部から着脱可能である。ここで、電源部には、照明機能及び撮影機能を有する機能部以外の機能部が取り付けられてもよい。例えば、出音機能を有する機能部が取り付けられてもよい。
【０１２０】
また、上記実施の形態では、撮影装置が、屋外照明装置の一部である機能部として実現される例について説明したが、本発明は、単独の撮影装置として実現されてもよい。
【０１２１】
また、上記実施の形態において、制御部、認証部、及び、端末制御部等の構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１２２】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。例えば、本発明は、屋外照明装置の制御方法として実現されてもよいし、当該制御方法をコンピュータ等に実行させるためのプログラムとして実現されてもよい。本発明は、当該プログラムが記録されたコンピュータ読み取り可能な非一時的な記録媒体として実現されてもよい。
【０１２３】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１２４】
１０、１０ｃ  機能部（撮影装置）
１１、１１ｃ  照明部
１２、１２ｃ  カメラ
１６ｂ  認証部
１６ｃ  無線通信部（送信部、受信部）
１７  明るさ検知部
１８  制御部
３０  携帯端末
１００、１００ａ、１００ｂ、１００ｃ  屋外照明装置
【図１】
2019096999.tif 000003
【図２】
2019096999.tif 000004
【図３】
2019096999.tif 000005
【図４】
2019096999.tif 000006
【図５】
2019096999.tif 000007
【図６】
2019096999.tif 000008
【図７】
2019096999.tif 000009
【図８】
2019096999.tif 000010
【図９】
2019096999.tif 000011
【図１０】
2019096999.tif 000012
【図１１】
2019096999.tif 000013
【図１２】
2019096999.tif 000014
【図１３】
2019096999.tif 000015
【図１４】
2019096999.tif 000016
【図１５】
2019096999.tif 000017